(57)【要約】【課題】複数の平面状配線体が集合された接続体の複数箇所とその接続相手の配線体とを容易に一括接続可能とした配線体の接続構造を提供する。【解決手段】複数の平面状配線体が導体露出部をずらした状態で配置された第１の接続体と、前記第１の接続体に接続される第２の接続体とを有し、前記第１の接続体と前記第２の接続体とを接続端子体で電気的に接続した接続部を備えており、前記接続端子体は、前記第１の接続体の複数の平面状配線体に弾性接続される複数の半球面状の端子が一体的に連結された第１の端子部と、前記第２の接続体に弾性接続される半球面状の端子からなる第２の端子部とが、電気的に接続されて形成されているものとする。【選択図】　図１
2004146217.tif 000002
【特許請求の範囲】
【請求項１】
導体が露出された導体露出部を有する複数の平面状配線体が前記導体露出部をずらした状態で配置された第１の接続体と、前記第１の接続体に接続される第２の接続体とを有し、
前記第１の接続体と前記第２の接続体とを接続端子体で電気的に接続した接続部を備えており、
前記接続端子体は、前記第１の接続体の複数の平面状配線体に弾性接続される複数の半球面状の端子が一体的に連結された第１の端子部と、前記第２の接続体に弾性接続される半球面状の端子からなる第２の端子部とが、電気的に接続されて形成されていることを特徴とする配線体の接続構造。
【請求項２】
前記接続端子体は、接続端子体収容部材に組み込まれていることを特徴とする、請求項１記載の配線体の接続構造。
【発明の詳細な説明】
【０００１】
【発明の属する技術分野】
本発明は、配線体の接続構造に関する。具体的には、複数の平面状配線体を好適に一括接続する配線体の接続構造に関する。
【０００２】
【従来の技術】
近年、電線・ケーブル・回路基板等の配線体同士、または配線体と電気装置とを接続する技術の検討が進んでいる（本明細書では、これらの接続対象となる配線体や電気装置を、「接続体」と表記する）。特に、接続体における接続箇所が多数存在する場合には、これらの接続箇所を一括接続する技術、例えばコネクタを用いる技術が必要となり、技術の検討が盛んに行われている。
【０００３】
接続体の接続にコネクタを用いる技術の例として、プリント板（回路基板）同士を接続するための中継用カードエッジコネクタが知られている。この中継用カードエッジコネクタは、第１のプリント板と第２のプリント板とをそれぞれ挿抜自在に接続するためのものであり、例えば、導電パターンの配列を変換する第２のプリント板と中継用カードエッジコネクタとの組み合わせにより、第１のプリント板のパターン変更の必要をなくすために用いられる（特許文献１参照）。
【０００４】
【特許文献１】特開平５−１３５８３６号公報（３ページ３欄３４行〜４ページ５欄１２行、図１〜図４参照）
【０００５】
【発明が解決しようとする課題】
ところで、最近、例えば複数の平面状配線体（フラットケーブル等）が集合された接続体とその接続相手の接続体とを一括接続するような新たな配線体の接続構造が求められている。
【０００６】
しかし、前述の特許文献１に記載された技術は、第１のプリント板の導電パターンと第２のプリント板の導電パターンとを中継用カードエッジコネクタにより１対１で接続するものであって、複数の平面状配線体が集合された接続体を一括接続する技術に適用することは困難である。
【０００７】
そこで、本発明では、複数の平面状配線体が集合された接続体の複数箇所とその接続相手の配線体とを容易に一括接続可能とした配線体の接続構造を提供することを目的とする。
【０００８】
【課題を解決するための手段】
請求項１の発明は、導体が露出された導体露出部を有する複数の平面状配線体が前記導体露出部をずらした状態で配置された第１の接続体と、前記第１の接続体に接続される第２の接続体とを有し、前記第１の接続体と前記第２の接続体とを接続端子体で電気的に接続した接続部を備えており、前記接続端子体は、前記第１の接続体の複数の平面状配線体に弾性接続される複数の半球面状の端子が一体的に連結された第１の端子部と、前記第２の接続体に弾性接続される半球面状の端子からなる第２の端子部とが、電気的に接続されて形成されることを特徴とする。
【０００９】
請求項２の発明は、請求項１の発明において、前記接続端子体は、接続端子体収容部材に組み込まれていることを特徴とする。
【００１０】
【発明の実施の形態】
本発明の実施形態を、図面を用いて説明する。
【００１１】
図１は、本発明の配線体の接続構造の主要部の一例を概略的に示す分解斜視図である。図１において、１は第１の接続体、２は第２の接続体、３は接続端子体の集合体である。
【００１２】
第１の接続体１は、複数のフラットケーブル１１〜１４がそれぞれの端部の導体が露出された導体露出部１１ａ〜１１ｃ、１２ａ〜１２ｃ、１３ａ〜１３ｃ、１４ａ〜１４ｃを、ほぼ平行にずらして高さを合わせた状態で配置したものである。
【００１３】
なお、図１においては複数のフラットケーブル１１〜１４が積層された状態が示されているが、導体露出部１１ａ〜１１ｃ、１２ａ〜１２ｃ、１３ａ〜１３ｃ、１４ａ〜１４ｃをずらした状態で配置されていれば、複数のフラットケーブル１１〜１４はどのように配置されていてもよい。例えば、導体露出部１１ａ〜１１ｃ、１２ａ〜１２ｃ、１３ａ〜１３ｃ、１４ａ〜１４ｃはフラットケーブル１１〜１４の中間部にあってもよく、また、フラットケーブル１１〜１４のかわりに他の平面状配線体を用いてもよい。
【００１４】
第２の接続体２は、第１の接続体１と接続されるものである。第２の接続体２には、接続端子体の集合体３の各接続端子体を接続するための接続点２１〜２６が設けられている。図１において、これらの接続点２１〜２６は、第２の接続体２の裏面に設けられている。
【００１５】
なお、図１において、第２の接続体２の具体例として回路基板が示されているが、第２の接続体２は第１の接続体１と接続可能であればどのような形態のものであってもよく、例えば第１の接続体１と同様に複数のフラットケーブルでもよく、またランプ・計器類などの電気装置でもよいことはいうまでもない。
【００１６】
接続端子体の集合体３は、第１の接続体１の複数の平面状配線体に弾性接続される複数の半球面状の端子が一体的に連結された第１の端子部３ａと、第２の接続体２に弾性接続される半球面状の端子からなる第２の端子部３ｂとが、電気的に接続されて形成された接続端子体を、所定の接続パターンを得るために組み合わせたものである。このように、接続端子体の集合体３を構成する複数の端子を半球面状に形成することで、第１の接続体１および第２の接続体２に容易に弾性接続させることができる。
【００１７】
なお、本明細書において、「一体的に連結される」とは、一体に連結された状態で形成されることを意味するほか、配線体の接続前にあらかじめ接合されて一体に形成されることも意味するものとする。
【００１８】
図１では、６組の接続端子体からなる接続端子体の集合体３を用いて、第１の接続体１の１２個の導体露出部１１ａ〜１１ｃ、１２ａ〜１２ｃ、１３ａ〜１３ｃ、１４ａ〜１４ｃと第２の接続体２の６個の接続点２１〜２６とを接続して接続部を構成する例を示す。これらの接続端子体の集合体３を構成する各接続端子体３１〜３６は、第１の接続体１および第２の接続体２と下記のように接続される。なお、接続端子体の集合体３を構成する各接続端子体の例は、図１に示されるものに限られないことはいうまでもない。
【００１９】
接続端子体３１：第１の端子部３１ａは、第１の接続部１の導体露出部１１ａ、１２ａに接続され、第２の端子部３１ｂは、第２の接続部２の接続点２１に接続される。
【００２０】
接続端子体３２：第１の端子部３２ａは、第１の接続部１の導体露出部１１ｂ、１１ｃ、１２ｃに接続され、第２の端子部３２ｂは、第２の接続部２の接続点２２に接続される。
【００２１】
接続端子体３３：第１の端子部３３ａは、第１の接続部１の導体露出部１２ｂに接続され、第２の端子部３３ｂは、第２の接続部２の接続点２３に接続される。
【００２２】
接続端子体３４：第１の端子部３４ａは、第１の接続部１の導体露出部１３ａ、１３ｂに接続され、第２の端子部３４ｂは、第２の接続部２の接続点２４に接続される。
【００２３】
接続端子体３５：第１の端子部３５ａは、第１の接続部１の導体露出部１３ｃ、１４ｃに接続され、第２の端子部３５ｂは、第２の接続部２の接続点２５に接続される。
【００２４】
接続端子体３６：第１の端子部３６ａは、第１の接続部１の導体露出部１４ａ、１４ｂに接続され、第２の端子部３６ｂは、第２の接続部２の接続点２６に接続される。
【００２５】
図１に例示するように、本実施形態は、第１の接続体１の複数のフラットケーブル１１〜１４に弾性接続される複数の半球面状の端子が一体的に連結された第１の端子部３ａと、第２の接続体２に弾性接続される半球面状の端子からなる第２の端子部３ｂとが、電気的に接続されて形成された接続端子体の集合体３を用いているため、第１の接続体１と第２の接続体２とを容易に一括接続することができる。
【００２６】
図２は、図１の配線体の接続構造の一部分の具体的一例を概略的に示す分解斜視図である。図２において、４は接続端子体収容部材であって、接続端子体の集合体３を収容するための構成を備えたものである。
【００２７】
図２において、接続端子体収容部材４は、本体部４ａと、押え板４ｂとを備えている。本体部４ａには、接続端子体の第１の端子部３ａ（３１ａ〜３６ａ）を収容する貫通穴４１が設けられ、さらに接続端子体収容部材４をボルト等を用いて第２の接続体２に固定するための固定用貫通穴４２が設けられている。押え板４ｂには、接続端子体の第２の端子部３ｂ（３１ｂ〜３６ｂ）を収容する貫通穴４３が設けられている。ここで、接続端子体収容部材４の材質は、絶縁体であればよく、例えば合成樹脂等とすることができる。
【００２８】
接続端子体の第１の端子部３１ａ〜３６ａは、本体部４ａの貫通穴４１の位置に合わせて、接続端子体収容部材４に組み込まれる。また、接続端子体の第２の端子部３１ｂ〜３６ｂは、それぞれ第１の端子部３１ａ〜３６ａの所定の箇所に配置されて電気的に接続され、さらに押え板４ｂの貫通穴４３の位置に合わせて、接続端子体収容部材４に組み込まれる。
【００２９】
このように、接続端子体の集合体３が接続端子体収容部材４に組み込まれることで、接続端子体収容部材４の本体部４ａ側からは第１の端子部３１ａ〜３６ａが突出し、接続端子体収容部材４の押え板４ｂ側からは第２の端子部３１ｂ〜３６ｂが突出する。そして、接続端子体収容部材４の本体部４ａを第１の接続体１側に、押え板４ｂを図示しない第２の接続体側にそれぞれ対向させることにより、第１の接続体１と第２の接続体２とを容易に一括接続することができる。
【００３０】
図３は、図１の配線体の接続構造の具体的一例を概略的に示す分解斜視図である。図３において、５は導体露出部収容部材であって、第１の接続体１の導体露出部１１ａ〜１１ｃ、１２ａ〜１２ｃ、１３ａ〜１３ｃ、１４ａ〜１４ｃを収容するための構成を備えたものである。
【００３１】
第１の接続体１の導体露出部１１ａ〜１１ｃ、１２ａ〜１２ｃ、１３ａ〜１３ｃ、１４ａ〜１４ｃを収容した導体露出部収容部材５に、接続端子体の集合体３を収容した接続端子体収容部材４を組み合わせることにより、接続端子体収容部材４に組み込まれた接続端子体の集合体３を、第１の接続体１の導体露出部１１ａ〜１１ｃ、１２ａ〜１２ｃ、１３ａ〜１３ｃ、１４ａ〜１４ｃに、容易に一括接続することができる。なお、導体露出部収容部材５の形態は、図３の形態のみに限られるものではない。
【００３２】
図４は、本発明の実施形態である配線体の接続構造の具体的一例を概略的に示す側断面図である。図４において、６はボルト、７はナットであって、接続端子体収容部材４を第２の接続体２に固定している。このようにして、接続端子体３１〜３６が第２の接続体２の接続点２１〜２６に弾性接続される。
【００３３】
なお、図４において、導体露出部収容部材５は単に接続端子体収容部材４に組みつけられている状態を示しているが、接続端子体収容部材４と導体露出部収容部材５とを共通のボルトで第２の接続体２に固定するようにしてもよい。
【００３４】
ところで、図１ないし図４に示された接続端子体の集合体３を構成する各接続端子体は、半球面状の端子を連結した端子連結体を形成してこれを所定のパターンとなるように切り取ることで、容易に得ることができる。
【００３５】
このようにして、本実施形態では、導体が露出された導体露出部を有する複数の平面状配線体が導体露出部をずらした状態で配置された第１の接続体と、この第１の接続体に接続される第２の接続体とをそれぞれの接続体に適した方法で好適に一括接続することが可能となるが、本発明の範囲は上述したものに限られず、特許請求の範囲に記載された事項の範囲内で適宜変更してもよいことはいうまでもない。
【００３６】
【発明の効果】
以上のとおり、本発明によれば、導体が露出された導体露出部を有する複数の平面状配線体が前記導体露出部をずらした状態で配置された第１の接続体と、前記第１の接続体に接続される第２の接続体とを有し、前記第１の接続体と前記第２の接続体とを接続端子体で電気的に接続した接続部を備えており、前記接続端子体は、前記第１の接続体の複数の平面状配線体に弾性接続される複数の半球面状の端子が一体的に連結された第１の端子部と、前記第２の接続体に弾性接続される半球面状の端子からなる第２の端子部とが、電気的に接続されて形成されるため、複数の平面状配線体の複数箇所を必要最小限の個数の接続端子体により容易に一括接続することができる。
【００３７】
さらに、接続端子体が接続端子体収容部材に組み込まれている場合には、各接続体と接続端子体とを容易に一括接続することができる。
【図面の簡単な説明】
【図１】本発明の配線体の接続構造の主要部の一例を概略的に示す分解斜視図である。
【図２】図１の配線体の接続構造の一部分の具体的一例を概略的に示す分解斜視図である。
【図３】図１の配線体の接続構造の具体的一例を概略的に示す分解斜視図である。
【図４】本発明の実施形態である配線体の接続構造の具体的一例を概略的に示す側断面図である。
【符号の説明】
１　第１の接続体
２　第２の接続体
３　接続端子体の集合体
４　接続端子体収容部材
５　導体露出部収容部材
６　ボルト
７　ナット
１１〜１４　フラットケーブル
１１ａ〜１１ｃ、１２ａ〜１２ｃ、１３ａ〜１３ｃ、１４ａ〜１４ｃ　導体露出部
２１〜２６　接続点
３ａ、３１ａ〜３６ａ　第１の端子部
３ｂ、３１ｂ〜３６ｂ　第２の端子部
４ａ　本体部
４ｂ　押え板
４１、４３　貫通穴
４２　固定用貫通穴
【図１】
2004146217.tif 000003
【図２】
2004146217.tif 000004
【図３】
2004146217.tif 000005
【図４】
2004146217.tif 000006